(57)【特許請求の範囲】
【請求項１】
樹脂製の光コネクタフェルールであって、
光ファイバを保持する光ファイバ保持孔の開口を有する第１面と、
前記第１面の前方に配置され、前記光ファイバの先端面が当接する第２面、及び前記第２面の裏側に位置するレンズ面を有する前壁部と、
前記レンズ面において前記光ファイバ保持孔の軸線上に設けられたレンズ構造と、
複数の検査用孔と、
前記レンズ面から突出するガイドピンと、
を備え、
各検査用孔は、前記レンズ面に開口を有しており前記光ファイバ保持孔の中心軸線方向に沿って前記前壁部を貫通する第１孔部と、前記第１面に開口を有する第２孔部とを含む、光コネクタフェルール。
【請求項２】
前記第１面と前記第２面との間隔が０．５ｍｍ以上２．０ｍｍ以下である、請求項１に記載の光コネクタフェルール。
【請求項３】
前記レンズ面から前記第２面までの厚さが０．３ｍｍ以上０．８ｍｍ以下である、請求項１または２に記載の光コネクタフェルール。
【請求項４】
前記レンズ構造及び前記光ファイバ保持孔をそれぞれ複数有する、請求項１〜３のいずれか一項に記載の光コネクタフェルール。
【請求項５】
複数の前記レンズ構造同士の中心間隔、及び複数の前記光ファイバ保持孔同士の中心間隔が２４５μｍ以上２５５μｍ以下である、請求項４に記載の光コネクタフェルール。
【請求項６】
前記レンズ構造が凸レンズである、請求項１〜５のいずれか一項に記載の光コネクタフェルール。
【請求項７】
樹脂製の光コネクタフェルールの偏心測定方法であって、
前記光コネクタフェルールは、
光ファイバを保持する光ファイバ保持孔の開口を有する第１面と、
前記第１面の前方に配置され、前記光ファイバの先端面が当接する第２面、及び前記第２面の裏側に位置するレンズ面を有する前壁部と、
前記レンズ面において前記光ファイバ保持孔の軸線上に設けられたレンズ構造と、
前記レンズ面に開口を有しており前記光ファイバ保持孔の中心軸線方向に沿って前記前壁部を貫通する第１孔部と、前記第１面に開口を有する第２孔部とを含む複数の検査用孔と、
を備え、
前記レンズ面において前記検査用孔の前記第１孔部から求められる基準位置に対する前記レンズ構造の相対位置と、前記第１面において前記検査用孔の前記第２孔部から求められる基準位置に対する前記光ファイバ保持孔の相対位置とを測定することにより、前記レンズ構造に対する前記光ファイバ保持孔の偏心を測定する、光コネクタフェルールの偏心測定方法。
【発明の詳細な説明】
【技術分野】
【０００１】
本発明は、光コネクタフェルールに関する。
【背景技術】
【０００２】
特許文献１には、複数本の光ファイバ同士をまとめて接続する多芯光コネクタに用いられるフェルールが開示されている。このフェルールは、複数本の光ファイバ心線を保持するための複数の孔と、複数本の光ファイバ心線の先端部と当接して該先端部の位置決めを行う内面と、端面において内面の前方に設けられた凹部と、凹部に一体形成されたレンズとを備える。
【先行技術文献】
【特許文献】
【０００３】
【特許文献１】米国特許第２０１２／００９３４６２号明細書
【発明の概要】
【発明が解決しようとする課題】
【０００４】
光コネクタフェルールにおいて、光ファイバ保持孔の偏心（中心軸線の位置の偏り）は、光結合効率の低下を招く重要な問題である。光ファイバ保持孔が前端面に達している（すなわち光ファイバが前端面において露出する）光コネクタフェルールにおいては、前方から観察することにより、光ファイバ保持孔の偏心を容易に知ることができる。しかしながら、例えば特許文献１に記載されたもののように、光ファイバ保持孔の前方にレンズが配置されている場合、光ファイバ保持孔の観察をレンズが妨げるので、樹脂の収縮等による光ファイバ保持孔の偏心を知ることが困難となる。
【０００５】
本発明は、このような問題点に鑑みてなされたものであり、光ファイバ保持孔の前方にレンズ構造が設けられた場合であっても、光ファイバ保持孔の偏心を容易に知ることができる光コネクタフェルールを提供することを目的とする。
【課題を解決するための手段】
【０００６】
上述した課題を解決するために、本発明の一実施形態に係る光コネクタフェルールは、樹脂製の光コネクタフェルールであって、光ファイバを保持する光ファイバ保持孔の開口を有する第１面と、第１面の前方に配置され、光ファイバの先端面が当接する第２面、及び第２面の裏側に位置するレンズ面を有する部分と、レンズ面において光ファイバ保持孔の軸線上に設けられたレンズ構造と、複数の検査用孔と、レンズ面から突出するガイドピンと、を備え、各検査用孔は、レンズ面に開口を有しており光ファイバ保持孔の中心軸線方向に沿って上記部分を貫通する第１孔部と、第１面に開口を有する第２孔部とを含む。
また、本発明の一実施形態に係る光コネクタフェルールの偏心測定方法は、樹脂製の光コネクタフェルールの偏心測定方法であって、前記光コネクタフェルールは、光ファイバを保持する光ファイバ保持孔の開口を有する第１面と、前記第１面の前方に配置され、前記光ファイバの先端面が当接する第２面、及び前記第２面の裏側に位置するレンズ面を有する前壁部と、前記レンズ面において前記光ファイバ保持孔の軸線上に設けられたレンズ構造と、前記レンズ面に開口を有しており前記光ファイバ保持孔の中心軸線方向に沿って前記前壁部を貫通する第１孔部と、前記第１面に開口を有する第２孔部とを含む複数の検査用孔と、を備え、前記レンズ面において前記検査用孔の前記第１孔部から求められる基準位置に対する前記レンズ構造の相対位置と、前記第１面において前記検査用孔の前記第２孔部から求められる基準位置に対する前記光ファイバ保持孔の相対位置とを測定することにより、前記レンズ構造に対する前記光ファイバ保持孔の偏心を測定する。
【発明の効果】
【０００７】
本発明による光コネクタフェルールによれば、光ファイバ保持孔の前方にレンズ構造が設けられた場合であっても、光ファイバ保持孔の偏心を容易に知ることができる。
【図面の簡単な説明】
【０００８】
【図１】図１は、本発明の一実施形態に係る光コネクタフェルールの外観を示す斜視図である。
【図２】図２は、図１に示されたII−II線に沿った断面を含む切り欠き斜視図である。
【図３】図３は、レンズ面（フェルール端面）を示す正面図である。
【図４】図４は、第１面を示す一部切り欠き正面図である。
【図５】図５（ａ）〜図５（ｃ）は、上述した作用を説明するための図であって、光ファイバの先端面とレンズ構造とを示す断面図である。
【図６】図６は、レンズ面からファイバ当接面までの厚さと光損失との関係を示すグラフである。
【発明を実施するための形態】
【０００９】
［本願発明の実施形態の説明］
最初に、本発明の実施形態の内容を列記して説明する。本発明の一実施形態に係る光コネクタフェルールは、樹脂製の光コネクタフェルールであって、光ファイバを保持する光ファイバ保持孔の開口を有する第１面と、第１面の前方に配置され、光ファイバの先端面が当接する第２面、及び第２面の裏側に位置するレンズ面を有する前壁部と、レンズ面において光ファイバ保持孔の軸線上に設けられたレンズ構造と、複数の検査用孔と、レンズ面から突出するガイドピンと、を備え、各検査用孔は、レンズ面に開口を有しており光ファイバ保持孔の中心軸線方向に沿って前壁部を貫通する第１孔部と、第１面に開口を有する第２孔部とを含む。
また、本発明の一実施形態に係る光コネクタフェルールの偏心測定方法は、樹脂製の光コネクタフェルールの偏心測定方法であって、前記光コネクタフェルールは、光ファイバを保持する光ファイバ保持孔の開口を有する第１面と、前記第１面の前方に配置され、前記光ファイバの先端面が当接する第２面、及び前記第２面の裏側に位置するレンズ面を有する前壁部と、前記レンズ面において前記光ファイバ保持孔の軸線上に設けられたレンズ構造と、前記レンズ面に開口を有しており前記光ファイバ保持孔の中心軸線方向に沿って前記前壁部を貫通する第１孔部と、前記第１面に開口を有する第２孔部とを含む複数の検査用孔と、を備え、前記レンズ面において前記検査用孔の前記第１孔部から求められる基準位置に対する前記レンズ構造の相対位置と、前記第１面において前記検査用孔の前記第２孔部から求められる基準位置に対する前記光ファイバ保持孔の相対位置とを測定することにより、前記レンズ構造に対する前記光ファイバ保持孔の偏心を測定する。
【００１０】
この光コネクタフェルールでは、光ファイバ保持孔に光ファイバが挿入され、保持される。そして、光ファイバの先端面から出射された光は、レンズ構造によって平行化（コリメート）され、相手側光コネクタに達する。また、相手側光コネクタからコリメートされて出射された光は、レンズ構造によって集光されつつ光ファイバの先端面に達する。従って、この光コネクタフェルールによれば、相手側光コネクタとの効率的な光結合が可能となる。
【００１１】
また、この光コネクタフェルールは、光ファイバ保持孔とは別に、レンズ面に開口を有しており光ファイバ保持孔の中心軸線方向に沿って前壁部を貫通する第１孔部と、第１面に開口を有する第２孔部とを含む検査用孔を複数有する。検査用孔の開口付近は、レンズ面と一体に形成されるので、光ファイバ保持孔の中心軸線方向（すなわち光ファイバの光軸方向）と交差する面内でのレンズ構造との相対位置の誤差が極めて小さい。また、検査用孔の第１面付近は、第１面と一体に形成されるので、上記面内での光ファイバ保持孔との相対位置の誤差が極めて小さい。従って、例えばレンズ面において検査用孔（第１孔部）から得られる基準位置からの各レンズの相対位置と、第１面において検査用孔（第２孔部）から得られる基準位置からの各光ファイバ保持孔の相対位置とを測定することにより、樹脂の収縮等に起因する、レンズ構造に対する光ファイバ保持孔の偏心を容易に知ることができる。
【００１２】
上記の光コネクタフェルールにおいて、第１面と第２面との間隔は０．５ｍｍ以上２．０ｍｍ以下であってもよい。このように第１面と第２面との距離が短いことにより、検査用孔を形成するための金型のピンを短くすることができるので、金型のピンの撓みを低減し、検査用孔をより精度良く形成できる。従って、レンズ構造に対する光ファイバ保持孔の偏心を更に精度良く知ることができる。
【００１３】
上記の光コネクタフェルールにおいて、レンズ面から第２面までの厚さは０．３ｍｍ以上０．８ｍｍ以下であってもよい。光ファイバの端面とレンズ構造との距離をこのように短くすることにより、光ファイバから出射された光がレンズ構造に到達したときの光径の拡がりを抑え、光損失を低減することができる。
【００１４】
上記の光コネクタフェルールは、レンズ構造及び光ファイバ保持孔をそれぞれ複数有してもよい。これにより、光損失の少ないレンズ付きの多芯光コネクタを好適に実現できる。
【００１５】
上記の光コネクタフェルールにおいて、複数のレンズ構造同士の中心間隔、及び複数の光ファイバ保持孔同士の中心間隔が２４５μｍ以上２５５μｍ以下であってもよい。また、上記の光コネクタフェルールにおいて、レンズ構造は凸レンズであってもよい。
【００１６】
［本願発明の実施形態の詳細］
本発明の実施形態に係る光コネクタフェルールの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。なお、以下の説明においては、光コネクタフェルールの幅方向をＸ方向、高さ方向をＹ方向、Ｘ方向及びＹ方向と交差する方向（光コネクタの接続方向）をＺ方向として説明する。
【００１７】
図１は、本発明の一実施形態に係る光コネクタフェルール（以下、フェルールという）１０の外観を示す斜視図である。図２は、図１に示されたII−II線に沿った断面を含む切り欠き斜視図である。本実施形態のフェルール１０は、多芯の光ファイバ束を保持（固定）するとともに、その端面が、同様に光ファイバを保持した相手側フェルールの端面と対向することにより、光ファイバ同士の光接続を行う。フェルール１０は樹脂製であり、一体成型により作製される。
【００１８】
図１及び図２に示されるように、フェルール１０は、略直方体状の外観を有する。具体的には、フェルール１０は、接続方向（Ｚ方向）の一端側に設けられ相手側光コネクタと対向するフェルール端面１０ａと、他端側に設けられた後端面１０ｂとを有する。また、フェルール１０は、Ｚ方向に沿って延びる一対の側面１０ｃ，１０ｄと、底面１０ｅ及び上面１０ｆとを有する。後端面１０ｂには、複数本の光ファイバが束ねられて成る光ファイバ束を受け入れる導入孔１５が形成されている。
【００１９】
フェルール１０は、フェルール端面１０ａと後端面１０ｂとの間に設けられた面１４、及び複数の光ファイバ保持孔１３を更に有する。面１４は、本実施形態における第１面の一例であって、ＸＹ平面に沿った平坦面である。複数の光ファイバ保持孔１３は、導入孔１５から面１４に達する貫通孔であって、Ｚ方向を軸線方向として形成されている。各光ファイバ保持孔１３は、挿入された光ファイバを保持する。複数の光ファイバ保持孔１３の面１４における開口は、一列又は複数列に並んで形成されている。なお、本実施形態の光ファイバ保持孔１３は、Ｙ方向に多段（例えば２段）に形成されるとともに、各段の光ファイバ保持孔１３がＸ方向に複数並んで配列されている。
【００２０】
フェルール１０は、面１４のＺ方向前方に配置された前壁部１２を更に有する。前壁部１２は、ファイバ当接面１２ａ及びレンズ面１２ｂを有する。ファイバ当接面１２ａは、本実施形態における第２面の一例であって、面１４と対向し、ＸＹ平面に沿った平坦面（すなわち面１４と平行な面）となっている。光ファイバ保持孔１３に保持された光ファイバは、面１４からＺ方向前方に突出して伸び、その先端面がファイバ当接面１２ａに当接することで、Ｚ方向に位置決めされる。面１４とファイバ当接面１２ａとの間隔Ｗ１は、例えば０．５ｍｍ以上２．０ｍｍ以下である。
【００２１】
レンズ面１２ｂは、ファイバ当接面１２ａの裏側に位置する面であり、ＸＹ平面に沿った平坦面である。本実施形態では、レンズ面１２ｂは前述したフェルール端面１０ａに含まれる。レンズ面１２ｂからファイバ当接面１２ａまでの厚さＴ１は、例えば０．３ｍｍ以上０．８ｍｍ以下である。
【００２２】
レンズ面１２ｂには、複数のレンズ構造１６が形成されている。複数のレンズ構造１６は、半球状の凸レンズであって、前壁部１２と一体に形成されている。複数のレンズ構造１６は、それぞれに対応する光ファイバ保持孔１３の軸線上に設けられており、光ファイバ保持孔１３に保持された複数の光ファイバの先端面それぞれと光学的に結合される。各レンズ構造１６は、各光ファイバの先端面から出射された光を平行化し、または、相手側光コネクタから入射した光を各光ファイバの先端面に集光する。複数のレンズ構造１６同士の中心間隔、及び複数の光ファイバ保持孔１３同士の中心間隔は、例えば共に２４５μｍ以上２５５μｍ以下である。
【００２３】
フェルール１０は、レンズ面１２ｂからＺ方向に突出する一対のガイドピン１９ａ，１９ｂを更に有する。ガイドピン１９ａ，１９ｂは、フェルール１０と一体に成型された樹脂製であり、レンズ面１２ｂにおいて複数のレンズ構造１６を挟むように、Ｘ方向に並んで形成されている。ガイドピン１９ａ，１９ｂは、相手側フェルールのガイド孔に挿入され、フェルール１０と相手側フェルールとの相対位置を固定する。なお、ガイドピン１９ａ，１９ｂに代えて、金属製のガイドピンが挿入されるための一対のガイド孔が形成されてもよい。
【００２４】
フェルール１０は、複数の検査用孔１７を更に有する。本実施形態のフェルール１０は、２つの検査用孔１７を有する。これらの検査用孔１７は、レンズ面１２ｂに開口を有し、光ファイバ保持孔１３の中心軸線方向（すなわちＺ方向）に沿って、少なくとも面１４を超えて延びている。本実施形態の検査用孔１７は、前壁部１２を貫通する第１孔部１７ａと、面１４に形成された第２孔部１７ｂとを含んで構成されている。
【００２５】
第１孔部１７ａは、レンズ面１２ｂに開口を有し、光ファイバ保持孔１３の中心軸線方向（すなわちＺ方向）に沿って、前壁部１２を貫通する。本実施形態では、第１孔部１７ａの開口はレンズ面１２ｂの四隅のうち上面１０ｆ寄りの二隅に形成されている。第１孔部１７ａの断面形状は例えば円形である。
【００２６】
第２孔部１７ｂは、面１４に開口を有し、光ファイバ保持孔１３の中心軸線方向に沿って延びている。第２孔部１７ｂの断面形状は例えば円形であり、一例では、その内径は第１孔部１７ａの内径と等しい。各第２孔部１７ｂは、各第１孔部１７ａに一対一で対応して形成されている。すなわち、互いに対応する第１孔部１７ａと第２孔部１７ｂとは、光ファイバ保持孔１３の中心軸線方向から見て互いに重なる。
【００２７】
第１孔部１７ａ及び第２孔部１７ｂは、フェルール１０の成型の際、共通の棒状の金型により形成される。従って、レンズ面１２ｂと面１４との相対位置に誤差がない場合、第１孔部１７ａの中心軸線と、第２孔部１７ｂの中心軸線とは互いに一致する。なお、第１孔部１７ａ及び第２孔部１７ｂは、ガイドピン１９ａ，１９ｂとは別に、相手方光コネクタと接続される際にガイドピンが挿入されるガイド孔を兼ねてもよい。
【００２８】
フェルール１０は、一体成型により作製されたのち、金型から取り出されて硬化する際に収縮する。そのとき、面１４とレンズ面１２ｂとの収縮率の違いにより、光ファイバ保持孔１３とレンズ構造１６との光軸のずれ（偏心）が生じる。検査用孔１７は、そのような光軸のずれを検査するための孔であって、レンズ面１２ｂにおいて２つの検査用孔１７から求められる基準位置からの各レンズ構造１６の相対位置と、面１４において２つの検査用孔１７から求められる基準位置からの各光ファイバ保持孔１３の相対位置とを測定し、レンズ面１２ｂの基準位置と面１４の基準位置とが一致すると仮定して求められた、各レンズ構造１６の相対位置と各レンズ構造１６に対応する各光ファイバ保持孔１３の相対位置とのずれ量に基づいて、光ファイバ保持孔１３とレンズ構造１６との光軸のずれ量を知ることができる。
【００２９】
ここで図３は、レンズ面１２ｂ（フェルール端面１０ａ）を示す正面図である。図４は、面１４を示す一部切り欠き正面図である。作製されたフェルール１０の光ファイバ保持孔１３とレンズ構造１６との光軸ずれ量を知るために、まず、図３に示されるように、レンズ面１２ｂにおける２つの第１孔部１７ａの開口の中心同士を結ぶ線分Ａ１の中心Ｃ１の位置を算出する。そして、この位置を座標原点（０，０）とし、この座標原点を基準とする各レンズ構造１６の座標を特定する。次に、図４に示されるように、２つの第２孔部１７ｂの開口の中心同士を結ぶ線分Ａ２の中心Ｃ２の位置を算出する。そして、この位置を座標原点（０，０）とし、この座標原点を基準とする各光ファイバ保持孔１３の座標を特定する。続いて、各レンズ構造１６の座標と、各光ファイバ保持孔１３の座標とを比較することにより、光ファイバ保持孔１３とレンズ構造１６との光軸ずれ量を知ることができる。
【００３０】
以上の構成を備える本実施形態のフェルール１０によって得られる効果について説明する。フェルール１０では、光ファイバ保持孔１３に光ファイバが挿入され、保持される。そして、光ファイバの先端面から出射された光は、レンズ構造１６によって平行化（コリメート）され、相手側光コネクタに達する。また、相手側光コネクタからコリメートされて出射された光は、レンズ構造１６によって集光されつつ光ファイバの先端面に達する。従って、フェルール１０によれば、相手側光コネクタとの効率的な光結合が可能となる。
【００３１】
また、本実施形態のフェルール１０は、光ファイバ保持孔１３とは別に、レンズ面１２ｂからファイバ当接面１２ａまで貫通する第１孔部１７ａと、面１４に形成された第２孔部１７ｂとを含む検査用孔１７を複数有する。検査用孔１７の開口付近（すなわち第１孔部１７ａ）は、レンズ面１２ｂと一体に形成されるので、光ファイバ保持孔１３の中心軸線方向（すなわち光ファイバの光軸方向）と交差する面内でのレンズ構造１６との相対位置の誤差が極めて小さい。また、検査用孔１７の面１４付近（すなわち第２孔部１７ｂ）は、面１４と一体に形成されるので、上記面内での光ファイバ保持孔１３との相対位置の誤差が極めて小さい。従って、例えばレンズ面１２ｂにおいて検査用孔１７の第１孔部１７ａから得られる基準位置（例えば中心Ｃ１の位置）からの各レンズ構造１６の相対位置と、面１４において検査用孔１７の第２孔部１７ｂから得られる基準位置（例えば中心Ｃ２の位置）からの各光ファイバ保持孔１３の相対位置とを測定することにより、樹脂の収縮等に起因する、レンズ構造１６に対する光ファイバ保持孔１３の偏心を容易に知ることができる。
【００３２】
また、本実施形態のように、面１４とファイバ当接面１２ａとの間隔Ｗ１は０．５ｍｍ以上２．０ｍｍ以下であってもよい。このように面１４とファイバ当接面１２ａとの距離が２．０ｍｍ以下と短いことにより、検査用孔１７を形成するための金型のピンを短くすることができるので、金型のピンの撓みを低減し、検査用孔１７を精度よく形成できる。従って、レンズ構造１６に対する光ファイバ保持孔１３の偏心を更に精度良く知ることができる。更に、光ファイバの撓みを小さくし、光ファイバの先端面とレンズ構造１６との光軸ずれを低減できる。また、間隔Ｗ１が０．５ｍｍ以上であることにより、金型の厚みを確保し、面１４及びファイバ当接面１２ａを精度良く形成することができる。
【００３３】
また、本実施形態のように、レンズ面１２ｂからファイバ当接面１２ａまでの厚さＴ１は０．３ｍｍ以上０．８ｍｍ以下であってもよい。光ファイバの端面とレンズ構造１６との距離をこのように短くすることにより、光ファイバから出射された光がレンズ構造１６に到達したときの光径の拡がりを抑え、光損失を低減することができる。
【００３４】
ここで、図５（ａ）〜図５（ｃ）は、上述した作用を説明するための図であって、光ファイバ３１の先端面３１ａとレンズ構造１６とを示す断面図である。レンズ面１２ｂからファイバ当接面１２ａまでの厚さＴ１は、図５（ａ）において最も短く、図５（ｃ）において最も長い。図５（ａ）及び図５（ｂ）に示されるように、厚さＴ１が所定厚さよりも薄い場合には、光ファイバ３１から出射された光線Ｂ１の全てがレンズ構造１６に入射し、コリメートされる。しかしながら、図５（ｃ）に示されるように、厚さＴ１が所定厚さよりも厚くなると、光ファイバ３１から出射された光線Ｂ１の一部がレンズ構造１６から外れ、コリメートされずに漏洩してしまう。この漏洩光が、光線Ｂ１の光損失となる。
【００３５】
図６は、本発明者により見出された、レンズ面１２ｂからファイバ当接面１２ａまでの厚さＴ１（単位；ｍｍ）と光損失（単位；ｄＢ）との関係を示すグラフである。なお、図６は、テープ心線における光ファイバ間のピッチが２５０μｍであり、このピッチによりレンズ径が最大２５０μｍに制限された場合を示す。また、厚さＴ１と光損失との関係は光ファイバの開口数（ＮＡ）にも依存するが、ここでは汎用光ファイバの開口数（０．２〜０．２２）を想定している。図６を参照すると、厚さＴ１が０．８ｍｍより大きくなると、図５（ｃ）に示されたように光線Ｂ１の広がりがレンズ構造１６の直径を超え、光損失が急激に増大する。従って、厚さＴ１は０．８ｍｍ以下であることが好ましい。また、厚さＴ１が０．３ｍｍ以上であることにより、樹脂の流動性が妨げられ難くなり、正確なレンズ形状の形成が容易となる。
【００３６】
また、本実施形態のように、レンズ構造１６及び光ファイバ保持孔１３をそれぞれ複数有してもよい。これにより、光損失の少ないレンズ付きの多芯光コネクタを好適に実現できる。
【００３７】
本発明による光コネクタフェルールは、上述した実施形態に限られるものではなく、他に様々な変形が可能である。例えば、上記実施形態では光ファイバ保持孔及びレンズ構造がそれぞれ複数である場合を示しているが、本発明は、光ファイバ保持孔及びレンズ構造がそれぞれ１つのみである場合であっても適用可能である。また、上記実施形態では検査用孔が２つ設けられる場合を示しているが、本発明では、検査用孔は３つ以上であってもよい。
【符号の説明】
【００３８】
１０…フェルール、１０ａ…フェルール端面、１０ｂ…後端面、１０ｃ，１０ｄ…側面、１０ｅ…底面、１０ｆ…上面、１２…部分、１２ａ…ファイバ当接面（第２面）、１２ｂ…レンズ面、１３…光ファイバ保持孔、１４…面（第１面）、１５…導入孔、１６…レンズ構造、１７…検査用孔、１７ａ…第１孔部、１７ｂ…第２孔部、１９ａ，１９ｂ…ガイドピン、３１…光ファイバ、３１ａ…先端面。
【図１】
0006729060.tif 000002
【図２】
0006729060.tif 000003
【図３】
0006729060.tif 000004
【図４】
0006729060.tif 000005
【図５】
0006729060.tif 000006
【図６】
0006729060.tif 000007